(57)【要約】【課題】ＩＤカードを発行することなく、高い信頼性で認証を行う。【解決手段】公衆回線３０に接続可能な携帯電話機２０と、公衆回線３０に接続され、携帯電話機２０における着信及び通話開始のタイミングと、携帯電話機２０における着信音の鳴動のタイミングとに基づいて認証を行う認証装置１０とを設ける。【選択図】　　図１
2004032258.tif 000002
【特許請求の範囲】
【請求項１】
携帯電話機を用いた認証システムであって、
公衆回線に接続され、前記携帯電話機における着信及び通話開始のタイミングと、前記携帯電話機における着信音の鳴動のタイミングとに基づいて認証を行う認証手段を有することを特徴とする認証システム。
【請求項２】
請求項１に記載の認証システムにおいて、
前記認証手段は、
電話番号を入力するための入力手段と、
前記携帯電話機の着信音を集音する集音手段と、
前記入力手段に入力された電話番号を用いて発呼処理を行うとともに、該電話番号を有する携帯電話機における着信及び通話状態開始のタイミングを検出する通信手段と、
前記集音手段にて集音された前記携帯電話機における着信音の鳴動のタイミングと、前記通信手段にて検出されたタイミングとに基づいて認証を行う認証制御手段とを有することを特徴とする認証システム。
【請求項３】
請求項２に記載の認証システムにおいて、
前記認証制御手段は、前記入力手段に入力された電話番号と予め登録された電話番号との照合結果に基づいて認証を行うことを特徴とする認証システム。
【請求項４】
請求項２または請求項３に記載の認証システムにおいて、
前記認証制御手段は、前記集音手段にて集音された着信音と予め登録された着信音との照合結果に基づいて認証を行うことを特徴とする認証システム。
【請求項５】
請求項２乃至４のいずれか１項に記載の認証システムにおいて、
予め決められた情報を表示する表示手段と、
前記集音手段にて集音された音声情報を認識する音声認識手段とを有し、
前記認証制御手段は、前記表示手段にて表示された情報と前記音声認識手段にて認識された音声情報との照合結果に基づいて認証を行うことを特徴とする認証システム。
【請求項６】
請求項５に記載の認証システムにおいて、
前記集音手段にて集音された音声情報、または携帯電話機を介して入力された音声情報の声紋を解析する声紋照合手段を有し、
前記認証制御手段は、前記声紋照合手段にて解析された声紋情報と予め登録された声紋情報との照合結果に基づいて認証を行うことを特徴とする認証システム。
【請求項７】
音情報を用いて認証を行う認証システムであって、
音により識別可能な情報を音情報に組み込んで提供する情報発信手段と、
前記情報発信手段から提供された音情報を記憶する音情報記憶手段と、
前記音情報記憶手段から出力された音情報に組み込まれた情報を識別し、識別された情報に基づいて認証を行う認証手段とを有することを特徴とする認証システム。
【請求項８】
請求項７に記載の認証システムにおいて、
前記音情報記憶手段は、携帯電話機であり、
前記情報発信手段は、前記音情報をネットワークを介して前記携帯電話機に提供することを特徴とする認証システム。
【請求項９】
音情報を用いて認証を行う認証装置であって、
携帯電話機からの音情報を集音する集音手段と、
前記集音手段にて集音された音情報に組み込まれた情報を認識する音情報認識手段と、
前記音情報認識手段にて認識された情報に基づいて認証を行う認証制御手段とを有することを特徴とする認証装置。
【発明の詳細な説明】
【０００１】
【発明の属する技術分野】
本発明は、認証システムに関し、特に、音情報を利用して認証を行う認証システム及び認証装置に関する。
【０００２】
【従来の技術】
従来、研究所やイベント会場において、予め登録された入場者のみを入場させるという管理を行う場合は、例えば、入場予定者の氏名等の情報を予め登録しておき、その後、入場者が研究所やイベント会場に入場する際に、研究所やイベント会場の受付等において、入場者に氏名等の情報を記入させ、この情報と予め登録された氏名等の情報とを照合し、この照合結果によって入場を許可する方法が行われている。
【０００３】
また、近年では、情報化社会の進展に伴って、情報の書き込み及び読み出しが可能なＩＤカードを発行し、このＩＤカードを用いての入場者管理が行われている。
【０００４】
ＩＤカードを用いた入場者管理においては、研究所やイベント会場への入場を許可するための情報が書きこまれたＩＤカードを発行し、このＩＤカードを予め登録された入場予定者に予め渡しておき、入場予定者が研究所やイベント会場に入場する際に、研究所やイベント会場の入り口に設けられた入場検査装置にてＩＤカードに書き込まれた情報を読み取らせ、この読み取り結果に応じて、ゲートが開く等といった制御が行われている。
【０００５】
【発明が解決しようとする課題】
しかしながら、上述したように、入場予定者の氏名等の情報を予め登録しておき、その後、入場者が研究所やイベント会場に入場する際に、入場者が入場時に記入した情報と予め登録された氏名等の情報とを照合し、この照合結果によって入場を許可するものにおいては、照合される情報が入場予定者の氏名や社名等といった他人に知られやすい情報であるため、氏名等の情報を登録していない他人が入場予定者になりすましてこれらの情報を研究所やイベント会場にて記入し、入場してしまう虞れがある。
【０００６】
また、ＩＤカードを用いた入場者管理においては、ＩＤカードを作製するためのコストがかかるとともに、ＩＤカードが複製された場合、登録されていない者がこの複製されたＩＤカードを用いて研究所やイベント会場に入場してしまうという問題点がある。
【０００７】
ここで、近年、携帯電話機の急速な普及に伴い、携帯電話機の位置情報を利用した様々なサービスが考えられている。そこで、上述したような入場者管理においても、携帯電話機の位置情報を利用して行うことが考えられる。
【０００８】
携帯電話機の位置情報を利用して入場者管理を行う場合、入場予定者が所持する携帯電話機の位置を検出し、入場予定者が所持する携帯電話機が、入場予定者が入場しようとする研究所やイベント会場の入り口に存在することが確認された場合に入場を許可するといった処理を行うことが考えられる。
【０００９】
しかしながら、携帯電話機が建物の中や地下に存在する場合においては、携帯電話機の位置情報を取得することができず、また、携帯電話機の位置情報の検出においては、ビルの中の階数等、携帯電話機の存在する場所の高さを特定することができない。また、高層ビルが密集している場所においては、マルチパス現象により、位置精度が低下してしまう。このため、携帯電話機を用いた入場者管理には制限が生じてしまっている。
【００１０】
本発明は、上述したような従来の技術が有する問題点に鑑みてなされたものであって、ＩＤカードを発行することなく、高い信頼性で認証を行うことができる認証システム及び認証装置を提供することを目的とする。
【００１１】
【課題を解決するための手段】
上記目的を達成するために本発明は、
携帯電話機を用いた認証システムであって、
公衆回線に接続され、前記携帯電話機における着信及び通話開始のタイミングと、前記携帯電話機における着信音の鳴動のタイミングとに基づいて認証を行う認証手段を有する。
【００１２】
また、前記認証手段は、
電話番号を入力するための入力手段と、
前記携帯電話機の着信音を集音する集音手段と、
前記入力手段に入力された電話番号を用いて発呼処理を行うとともに、該電話番号を有する携帯電話機における着信及び通話状態開始のタイミングを検出する通信手段と、
前記集音手段にて集音された前記携帯電話機における着信音の鳴動のタイミングと、前記通信手段にて検出されたタイミングとに基づいて認証を行う認証制御手段とを有することを特徴とする。
【００１３】
また、前記認証制御手段は、前記入力手段に入力された電話番号と予め登録された電話番号との照合結果に基づいて認証を行うことを特徴とする。
【００１４】
また、前記認証制御手段は、前記集音手段にて集音された着信音と予め登録された着信音との照合結果に基づいて認証を行うことを特徴とする。
【００１５】
また、予め決められた情報を表示する表示手段と、
前記集音手段にて集音された音声情報を認識する音声認識手段とを有し、
前記認証制御手段は、前記表示手段にて表示された情報と前記音声認識手段にて認識された音声情報との照合結果に基づいて認証を行うことを特徴とする。
【００１６】
また、前記集音手段にて集音された音声情報、または携帯電話機を介して入力された音声情報の声紋を解析する声紋照合手段を有し、
前記認証制御手段は、前記声紋照合手段にて解析された声紋情報と予め登録された声紋情報との照合結果に基づいて認証を行うことを特徴とする。
【００１７】
また、音情報を用いて認証を行う認証システムであって、
音により識別可能な情報を音情報に組み込んで提供する情報発信手段と、
前記情報発信手段から提供された音情報を記憶する音情報記憶手段と、
前記音情報記憶手段から出力された音情報に組み込まれた情報を識別し、識別された情報に基づいて認証を行う認証手段とを有することを特徴とする。
【００１８】
また、前記音情報記憶手段は、携帯電話機であり、
前記情報発信手段は、前記音情報をネットワークを介して前記携帯電話機に提供することを特徴とする。
【００１９】
また、音情報を用いて認証を行う認証装置であって、
携帯電話機からの音情報を集音する集音手段と、
前記集音手段にて集音された音情報に組み込まれた情報を認識する音情報認識手段と、
前記音情報認識手段にて認識された情報に基づいて認証を行う認証制御手段とを有することを特徴とする。
【００２０】
（作用）
上記のように構成された本発明においては、公衆回線に接続された認証手段において、携帯電話機に対して発呼が行われた後、携帯電話機における着信及び通話状態開始のタイミングが検出されるとともに、携帯電話機における着信音が集音され、携帯電話機における着信及び通話状態開始のタイミングと、集音された着信音の鳴動のタイミングとに基づいて認証が行われる。
【００２１】
また、情報発信手段から提供された、音により識別可能な情報が組み込まれた音情報を音情報記憶手段にて記憶しておき、この音情報を認証手段に対して出力すると、認証手段において、音情報記憶手段から出力された音情報に組み込まれた情報が識別され、識別された情報に基づいて認証が行われることになる。
【００２２】
これにより、携帯電話機を用いて高い信頼性で認証を行うことが可能となる。
【００２３】
【発明の実施の形態】
以下に、本発明の実施の形態について図面を参照して説明する。
【００２４】
（第１の実施の形態）
図１は、本発明の認証システムの第１の実施の形態を示す図である。
【００２５】
本形態は図１に示すように、公衆回線３０に接続可能な携帯電話機２０と、予め決められた利用者の電話番号が登録された電話番号データベース４１と、予め決められた着信音が登録された着信音データベース４２と、予め決められた利用者の声紋情報が登録された声紋情報データベース４３と、予め決められたキーワードが登録されたキーワードデータベース４４と、外部から入力される情報と電話番号データベース４１や着信音データベース４２や声紋情報データベース４３やキーワードデータベース４４に登録された情報あるいは携帯電話機２０の通信状態とに基づいて認証を行う認証装置１０とから構成されている。なお、本形態においては、携帯電話機２０が１つしか図示されていないが、複数の携帯電話機が公衆回線３０に接続可能に設けられている。
【００２６】
また、認証装置１０は、電話番号をダイヤルするためのキーボタンからなる入力部１と、入力部１にて電話番号がダイヤルされた場合に公衆回線３０を介して携帯電話機２０に対して呼を確立する通信部２と、外部の音を集音する集音部３と、集音部３にて集音された音に含まれる音声情報を認識する音声認識部４と、キーワードデータベース４４に登録されたキーワードが表示される表示部５と、入力部１にてダイヤルされた電話番号と電話番号データベース４１に登録された電話番号とを照合する電話番号照合部６と、通信部２における通信状態と集音部３にて集音される音とに基づいて、集音部３にて集音された音が、通信部２にて発呼された携帯電話機２０における着信音であるかどうかを判断する通信照合部７と、集音部３にて集音された音と着信音データベース４２に登録された着信音とを照合する着信音照合部８と、集音部３にて集音された音に含まれる音声の声紋を解析し、解析された声紋と声紋情報データベース４３に登録された声紋情報とを照合する声紋照合部９と、キーワードデータベース４４に登録されたキーワードを表示部５に表示させる表示制御部１１と、音声認識部４にて認識された音声情報とキーワードデータベース４４に登録されたキーワードとを照合するキーワード照合部１２と、電話番号照合部６、通信照合部７、着信音照合部８、声紋照合部９及びキーワード照合部１２における照合結果に基づいて認証を行い、認証結果を出力する認証制御部１３とから構成されている。
【００２７】
以下に、上記のように構成された認証システムにおける認証処理について説明する。
【００２８】
図２は、図１に示した認証システムにおける認証処理を説明するためのフローチャートである。
【００２９】
入力部１に電話番号が入力されることにより所望の電話番号がダイヤルされると（ステップＳ１）、まず、電話番号照合部６において、電話番号データベース４１内が検索され（ステップＳ２）、入力部１に入力された電話番号が電話番号データベース４１に登録されているかどうかが判断され（ステップＳ３）、判断結果が認証制御部１３に送られる。
【００３０】
ここで、電話番号データベース４１には、予めこの認証システムに登録した利用者が所持する携帯電話機の電話番号が登録されているため、入力部１に入力された電話番号が電話番号データベース４１に登録されていない場合は、認証制御部１３において、入力部１に入力された電話番号では認証することができない旨が出力される（ステップＳ４）。
【００３１】
また、入力部１に入力された電話番号が電話番号データベース４１に登録されている場合は、通信部２において、入力部１に入力された電話番号を用いた発呼処理が行われる（ステップＳ５）。
【００３２】
通信部２において、この発呼処理による携帯電話機２０における着信が検出されると（ステップＳ６）、通信照合部７において、通信部２にて携帯電話機２０における着信が検出されたタイミングにて集音部３を介して携帯電話機２０の着信音が集音されているかどうかが検出される（ステップＳ７）。
【００３３】
通信部２にて携帯電話機２０における着信が検出されたタイミングにて集音部３を介して携帯電話機２０の着信音が集音されている場合は、着信音照合部８において、着信音データベース４２内が検索され（ステップＳ８）、集音部３を介して集音された着信音が着信音データベース４２に登録されているかどうかが判断され、判断結果が認証制御部１３に出力される（ステップＳ９）。
【００３４】
ここで、着信音データベース４２には、予め決められた着信音が登録されており、この認証システムに登録した利用者が所持する携帯電話機には、着信音データベース４２に登録された着信音が設定されている。
【００３５】
これにより、集音部３を介して集音された着信音が着信音データベース４２に登録されていない場合は、認証制御部１３において、集音部３にて着信音が集音された携帯電話機では認証することができない旨が出力される（ステップＳ４）。
【００３６】
また、集音部３を介して集音された着信音が着信音データベース４２に登録されている場合は、次に、表示制御部１１における制御により、所定のタイミングで「通話ボタンを押して下さい」等のメッセージが表示部５に表示され、その後、通信部２において、携帯電話機２０の利用者がフックボタンを操作する等により携帯電話機２０が通話状態に設定されたかどうかが検出される（ステップＳ１０）。
【００３７】
通信部２にて携帯電話機２０が通話状態に設定されたことが検出された場合は、通信照合部７において、通信部２にて携帯電話機２０が通話状態に設定されたことが検出されたタイミングで集音部３にて集音されていた携帯電話機２０の着信音が停止したかどうかが検出され、この検出結果が認証制御部１３に出力される（ステップＳ１１）。
【００３８】
ここで、通話状態に設定された携帯電話機からは着信音が出力されないはずであるため、通信部２にて携帯電話機２０が通話状態に設定されたことが検出されたタイミングにおいても集音部３にて集音されていた携帯電話機２０の着信音が停止しない場合は、認証制御部１３において、集音部３にて着信音が集音された携帯電話機では認証することができない旨が出力される（ステップＳ４）。
【００３９】
また、通信部２にて携帯電話機２０が通話状態に設定されたことが検出されたタイミングで集音部３にて集音されていた携帯電話機２０の着信音が停止した場合は、次に、表示制御部１１において、キーワードデータベース４４に登録されたキーワード情報が抽出される。ここで、キーワード情報とは、例えば、キーワードを誘発するためのヒントと、それに対するキーワードが対になって構成されているもので、ヒント“山”に対してキーワード“川”や、ヒント“入場承認者”に対してキーワード“山田”といった情報であり、電話番号ごとや、ヒントが無い場合や、時間帯ごとに設定することも考えられる。この情報は、電子メール等の手段により、事前に利用者に通知されているものとする。
【００４０】
その後、利用者の情報に基づいて抽出されたキーワード情報により、キーワードの発声を促すメッセージとして、例えば「入場承認者を発声して下さい」といったメッセージが表示部５に表示される（ステップＳ１２）。
【００４１】
次に、音声認識部４において、集音部３を介して音声情報が集音されているかどうかが検出される（ステップＳ１３）。
【００４２】
集音部３を介して音声情報が集音されている場合は、音声認識部４において、集音部３を介して集音された音声情報が音声認識される（ステップＳ１４）。なお、音声情報は携帯電話機２０に対して発声を行い、公衆回線３０を通じて集音することも考えられる。
【００４３】
次に、キーワード照合部１２において、音声認識部４にて認識された音声情報がキーワードデータベース４４から抽出されたキーワード情報と一致するかどうかが判断され、判断結果が認証制御部１３に出力される（ステップＳ１５）。
【００４４】
ここで、音声認識部４にて認識された音声情報がキーワードデータベース４４から抽出されたキーワードと一致しない場合は、認証制御部１３において、集音部３にて集音された音声情報では認証することができない旨が出力される（ステップＳ４）。
【００４５】
また、音声認識部４にて認識された音声情報がキーワードデータベース４４から抽出されたキーワードと一致する場合は、次に、声紋照合部９において、集音部３を介して集音された音声の声紋が解析され（ステップＳ１６）、さらに、声紋情報データベース４３内が検索され（ステップＳ１７）、集音部３を介して集音された音声の声紋が声紋情報データベース４３に登録されているかどうかが判断され、判断結果が認証制御部１３に出力される（ステップＳ１８）。
【００４６】
声紋情報データベース４３には、予めこの認証システムに登録した利用者の声紋が登録されているため、集音部３を介して集音された音声の声紋が声紋情報データベース４３に登録されている場合は、認証制御部１３において、認証できた旨を示す認証結果が出力され（ステップＳ１９）、また、集音部３を介して集音された音声の声紋が声紋情報データベース４３に登録されてない場合は、集音部３を介して集音された音声では認証することができない旨が出力される（ステップＳ４）。
【００４７】
認証制御部１３から出力された認証結果は、他の制御装置に送られ、認証結果を用いた制御が行われる。例えば、研究所やイベント会場において、この認証システムにて認証された場合のみゲートやドアが開くといった制御を行うことや、クレジットカード等のＩＤカードの本人確認を行うこと等が考えられる。その場合、電話番号データベース４１に登録された電話番号を有する携帯電話機を所持する利用者の氏名等の情報をデータベース（不図示）に登録しておき、認証処理が行われた場合に、その旨をデータベース上に登録し、入場済みの利用者を管理すること等も考えられる。また、入場予定情報として、利用者の氏名や社名、電話番号の他に、入場予定日時を予め登録しておき、登録された入場予定日時に利用者が入場したかどうかを管理することも考えられる。なお、これらの登録は、利用者が電話やＦＡＸ、電子メール等を利用して認証システムの管理者に通知したり、所定の情報画面を用いて情報を入力し、この情報をインターネット等のネットワークを介して認証システムの管理者に通知したりし、その後に、認証システムの管理者が行うことが考えられる。
【００４８】
なお、本形態においては、電話番号照合部６、通信照合部７、着信音照合部８、キーワード照合部１２及び声紋照合部９の全ての照合手段における照合結果に基づいて認証を行っているが、これらの照合手段における照合結果を全て用いるのではなく、電話番号照合部６、通信照合部７及び着信音照合部８のいずれか１つが含まれていれば、携帯電話機２０を用いた認証を行うことができる。ただし、照合手段の数が多ければ認証の精度は向上することになる。
【００４９】
また、キーワードの照合においては、キーワードを表示部５に表示させずに、スピーカ（不図示）から音声出力させることも考えられ、さらに、キーワードが数字からなる場合においては、集音部３にてキーワードが集音されたかどうかを検出するのではなく、キーワードを入力部１に入力する構成とし、入力部１にキーワードが入力されたかどうかを検出することも考えられる。
【００５０】
（第２の実施の形態）
図３は、本発明の認証システムの第２の実施の形態を示す図である。
【００５１】
本形態は図３に示すように、インターネット１３０に接続可能な携帯電話機１２０と、音により識別可能な情報を音情報に組み込んでインターネット１３０上に提供する情報発信サーバ１５０と、音によって表現される情報が登録された音情報データベース１４０と、携帯電話機１２０から出力される音情報を集音し、音情報データベース１４０を参照して集音された音情報に組み込まれた情報を認識することにより認証を行う認証装置１１０とから構成されている。
【００５２】
また、情報発信サーバ１５０は、音情報データベース１４０を参照して所定の情報が組み込まれた音情報を生成する音情報生成部１５１と、携帯電話機１２０における操作によって、音情報生成部１５１にて生成された音情報をインターネット１３０を介して携帯電話機１２０に送信する音情報送信部１５２とから構成されている。
【００５３】
また、認証装置１１０は、携帯電話機１２０から出力される音情報を集音するための集音部１０３と、集音部１０３にて集音された音情報に組み込まれた情報を、音情報データベース１４０を参照して認識する音情報認識部１０８と、音情報認識部１０８にて認識された情報に基づいて認証を行い、認証結果を出力する認証制御部１１３とから構成されている。
【００５４】
以下に、上記のように構成された認証システムにおける認証処理について説明する。
【００５５】
図４は、図３に示した認証システムにおける認証処理を説明するためのフローチャートである。
【００５６】
まず、情報発信サーバ１５０の音情報生成部１５１において、音情報データベース１４０が参照され、所定の情報を表現する音情報が生成される（ステップＳ２１）。ここで、音情報データベース１４０においては、音のそれぞれに対応して所定の情報が登録されている。例えば、音階“ド”という音に対しては“０”という情報が、また、音階“レ”という音に対しては“１”という情報が、また、音階“ミ”という音に対しては“２”という情報が、また、音階“ファ”という音に対しては“３”という情報が、また、音階“ソ”という音に対しては“４”という情報が、また、音階“ラ”という音に対しては“５”という情報が、また、音階“シ”という音に対しては“６”という情報が登録されるというような構造となっている。この場合、音情報生成部１５１においては、例えば、“１２３４”という情報を表現する場合、音情報データベース１４０が参照され、“レミファソ”という音からなる音情報が生成されることになる。また、この他にも、音符の長さや和音、あるいは半音によって情報が表現されることも考えられる。
【００５７】
その後、携帯電話機１２０において、音情報のダウンロードが要求されると（ステップＳ２２）、音情報生成部１５１にて生成された音情報が、情報発信サーバ１５０の音情報送信部１５２から送信される（ステップＳ２３）。ここで、携帯電話機１２０における音情報のダウンロードの要求は、ダウンロードすべき情報を識別可能な識別情報を用いて行うことが考えられ、その場合、音情報送信部１５２においては、音情報生成部１５１にて生成された音情報のうち、携帯電話機１２０にて指定された識別情報によって識別される音情報が送信されることになる。
【００５８】
情報発信サーバ１５０の音情報送信部１５２から送信された音情報は、インターネット１３０を介して携帯電話機１２０にて受信され、携帯電話機１２０内のメモリに記憶される（ステップＳ２４）。
【００５９】
その後、携帯電話機１２０を所持する利用者が、認証装置１１０の集音部１０３に向けて、情報発信サーバ１５０から送信され、携帯電話機１２０のメモリに記憶された音情報を出力し（ステップＳ２５）、この音情報が認証装置１１０の集音部１０３にて集音されると（ステップＳ２６）、認証装置１１０内の音情報認識部１０８において、音情報データベース１４０が参照され、集音部１０３にて集音された音情報によって表現される情報が認識される（ステップＳ２７）。
【００６０】
その後、認証制御部１１３において、音情報認識部１０８にて認識された情報が、予め決められた情報であるかどうかが判断され、判断結果が出力される（ステップＳ２８）。なお、予め決められた情報とは、認証装置１１０にて認証を行うための情報であり、情報発信サーバ１５０にも予め通知されている。情報発信サーバ１５０においては、この予め決められた情報が表現される音情報を生成することになる。
【００６１】
また、予め決められた情報が、情報発信サーバ１５０と認証装置１１０との間において共通のロジックで生成できるように構成すれば、音声情報データベース１４０を、情報発信サーバ１５０と認証装置１１０で共有する必要がなくなるため、情報発信サーバ１５０にて生成された音情報を、認証装置１１０で所定のロジックで判別することが可能となり、オフラインの状態でも運用することが可能となる。例えば、情報発信サーバ１５０に対して、「携帯電話機の電話番号×××の所持者が○月○日に××研究所を訪問する」といった情報が入力されると、所定のロジックに基づいて生成された音情報が携帯電話機１２０に送信され、認証装置１１０においては、携帯電話機１２０から集音された音情報が所定のロジックで解析され、情報発信サーバ１５０に入力された情報が認識されることになる。これにより、情報発信サーバ１５０と認証装置１１０との間にて共通のロジックで生成された情報を認証情報として利用することができる。
【００６２】
認証制御部１１３から出力された認証結果は、他の制御装置に送られ、認証結果を用いた制御が行われる。例えば、研究所やイベント会場において、この認証システムにて認証された場合のみゲートやドアが開くといった制御が行われたり、所定のカードが発行されたりすることが考えられる。
【００６３】
【発明の効果】
以上説明したように本発明においては、公衆回線に接続され、携帯電話機における着信及び通話開始のタイミングと、携帯電話機における着信音の鳴動のタイミングとに基づいて認証を行う認証手段を設けたため、携帯電話機を用いて高い信頼性で認証を行うことが可能となる。
【００６４】
また、音により識別可能な情報を音情報に組み込んで提供する情報発信手段と、情報発信手段から提供された音情報を記憶する音情報記憶手段と、音情報記憶手段から出力された音情報に組み込まれた情報を識別し、識別された情報に基づいて認証を行う認証手段とを設けたものにおいても、同様に、携帯電話機を用いて高い信頼性で認証を行うことが可能となる。
【図面の簡単な説明】
【図１】本発明の認証システムの第１の実施の形態を示す図である。
【図２】図１に示した認証システムにおける認証処理を説明するためのフローチャートである。
【図３】本発明の認証システムの第２の実施の形態を示す図である。
【図４】図３に示した認証システムにおける認証処理を説明するためのフローチャートである。
【符号の説明】
１　　入力部
２　　通信部
３，１０３　　集音部
４　　音声認識部
５　　表示部
６　　電話番号照合部
７　　通信照合部
８　　着信音照合部
９　　声紋照合部
１０，１１０　　認証装置
１１　　表示制御部
１２　　キーワード照合部
１３，１１３　　認証制御部
２０，１２０　　携帯電話機
３０　　公衆回線
４１　　電話番号データベース
４２　　着信音データベース
４３　　声紋情報データベース
４４　　キーワードデータベース
１０８　　音情報認識部
１３０　　インターネット
１４０　　音情報データベース
１５０　　情報発信サーバ
１５１　　音情報生成部
１５２　　音情報送信部
【図１】
2004032258.tif 000003
【図２】
2004032258.tif 000004
【図３】
2004032258.tif 000005
【図４】
2004032258.tif 000006